(57)【要約】【課題】フィルタを設けることなく妨害波のレベルを低減すること。【解決手段】本発明のアンテナ切替方法は、複数の各アンテナごとに、第１周波数帯の信号のＣＩＮＲを一定周期で監視するＣＩＮＲ監視ステップと、複数の各アンテナごとに、第１周波数帯の信号のＣＩＮＲの直前の一定期間の平均値と最新値とを比較するＣＩＮＲ比較ステップと、複数の各アンテナごとに、第１周波数帯の信号のＲＳＳＩを一定周期で監視する第１ＲＳＳＩ監視ステップと、複数の各アンテナごとに、第１周波数帯の信号のＲＳＳＩの直前の一定期間の平均値と最新値とを比較する第１ＲＳＳＩ比較ステップと、複数のアンテナの各々における第１周波数帯の信号のＲＳＳＩおよびＣＩＮＲの平均値と最新値との比較結果を用いた判定基準に従って、複数のアンテナの１つを選択し、選択したアンテナへの切り替えを切替部に指示する選択ステップと、を有する。【選択図】図１
2010068216.tif 000002
【特許請求の範囲】
【請求項１】
第１周波数帯の信号を希望波として無線通信を行う通信機器であって、
指向性が互いに異なる複数のアンテナと、
前記複数のアンテナを切り替える切替部と、
前記複数のアンテナの各々に対応して設けられ、該対応するアンテナにて受信された前記第１周波数帯の信号のＣＩＮＲ（Carrier to Interference plus Noise Ratio：信号対干渉雑音比）を一定周期で監視する複数のＣＩＮＲ監視部と、
前記複数のアンテナの各々に対応して設けられ、該対応するアンテナにて受信された前記第１周波数帯の信号のＣＩＮＲの直前の一定期間の平均値と最新値とを比較する複数のＣＩＮＲ比較部と、
前記複数のアンテナの各々に対応して設けられ、該対応するアンテナにて受信された前記第１周波数帯の信号のＲＳＳＩ（Received Signal Strength Indication：受信電界強度）を一定周期で監視する複数の第１ＲＳＳＩ監視部と、
前記複数のアンテナの各々に対応して設けられ、該対応するアンテナにて受信された前記第１周波数帯の信号のＲＳＳＩの直前の一定期間の平均値と最新値とを比較する複数の第１ＲＳＳＩ比較部と、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択部と、を有する通信機器。
【請求項２】
前記選択部は、選択中のアンテナにて受信された前記第１周波数帯の信号のＲＳＳＩの平均値と最新値との比較結果およびＣＩＮＲの平均値と最新値との比較結果を用い、前記判定基準に従って、選択中のアンテナを切り替えるか否かを判定し、選択中のアンテナを切り替える場合には、選択中のアンテナ以外の他のアンテナの１つを選択する、請求項１に記載の通信機器。
【請求項３】
前記判定基準は、
前記第１周波数帯の信号のＲＳＳＩの最新値が平均値と比較して増加し、かつ、前記第１周波数帯の信号のＣＩＮＲの最新値が平均値と比較して増加しているかまたは不変である場合、選択中のアンテナを切り替えないことを示している、請求項２に記載の通信機器。
【請求項４】
前記判定基準は、
前記第１周波数帯の信号のＲＳＳＩの最新値が平均値と比較して減少している場合、選択中のアンテナを切り替えないことを示している、請求項２または３に記載の通信機器。
【請求項５】
前記判定基準は、
前記第１周波数帯の信号のＲＳＳＩの最新値が平均値と比較して不変であり、かつ、前記第１周波数帯の信号のＣＩＮＲの最新値が平均値と比較して増加しているかまたは不変である場合、選択中のアンテナを切り替えないことを示している、請求項２から４のいずれか１項に記載の通信機器。
【請求項６】
前記複数のアンテナの各々に対応して設けられ、該対応するアンテナにて受信された、前記第１周波数帯と隣接する第２周波数帯の信号のＲＳＳＩを一定周期で監視する複数の第２ＲＳＳＩ監視部と、
前記複数のアンテナの各々に対応して設けられ、該対応するアンテナにて受信された前記第２周波数帯の信号のＲＳＳＩの直前の一定期間の平均値と最新値とを比較する複数の第２ＲＳＳＩ比較部と、をさらに有し、
前記選択部は、選択中のアンテナにて受信された前記第２周波数帯の信号のＲＳＳＩの平均値と最新値との比較結果をさらに用いた判定基準に従って、選択中のアンテナを切り替えるか否かを判定する、請求項２から５のいずれか１項に記載の通信機器。
【請求項７】
前記判定基準は、
前記第１周波数帯の信号のＲＳＳＩの最新値が平均値と比較して増加し、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項６に記載の通信機器。
【請求項８】
前記判定基準は、
前記第１周波数帯の信号のＲＳＳＩの最新値が平均値と比較して不変であり、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項６または７に記載の通信機器。
【請求項９】
選択中のアンテナ以外の他のアンテナの中から、前記第１周波数帯の信号のＣＩＮＲの平均値が高いものから順に所定数のアンテナを選定する選定部をさらに有し、
前記選択部は、選択中のアンテナを切り替える場合には、前記選定された所定数のアンテナの１つを選択する、請求項６から８のいずれか１項に記載の通信機器。
【請求項１０】
前記選択部は、前記第１周波数帯の信号のＣＩＮＲの平均値を、選択中のアンテナと前記選定された所定数のアンテナの各々とで比較し、選択中のアンテナの前記平均値が最も高い場合、選択中のアンテナの切り替えを中止する、請求項９に記載の通信機器。
【請求項１１】
指向性が互いに異なる複数のアンテナと、前記複数のアンテナを切り替える切替部と、を有し、第１周波数帯の信号を希望波として無線通信を行う通信機器によるアンテナ切替方法であって、
前記複数の各アンテナごとに、該アンテナにて受信された前記第１周波数帯の信号のＣＩＮＲを一定周期で監視するＣＩＮＲ監視ステップと、
前記複数の各アンテナごとに、該アンテナにて受信された前記第１周波数帯の信号のＣＩＮＲの直前の一定期間の平均値と最新値とを比較するＣＩＮＲ比較ステップと、
前記複数の各アンテナごとに、該アンテナにて受信された前記第１周波数帯の信号のＲＳＳＩを一定周期で監視する第１ＲＳＳＩ監視ステップと、
前記複数の各アンテナごとに、該アンテナにて受信された前記第１周波数帯の信号のＲＳＳＩの直前の一定期間の平均値と最新値とを比較する第１ＲＳＳＩ比較ステップと、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択ステップと、を有するアンテナ切替方法。
【請求項１２】
前記選択ステップでは、選択中のアンテナにて受信された前記第１周波数帯の信号のＲＳＳＩの平均値と最新値との比較結果およびＣＩＮＲの平均値と最新値との比較結果を用い、前記判定基準に従って、選択中のアンテナを切り替えるか否かを判定し、選択中のアンテナを切り替える場合には、選択中のアンテナ以外の他のアンテナの１つを選択する、請求項１１に記載のアンテナ切替方法。
【請求項１３】
前記判定基準は、
前記第１周波数帯の信号のＲＳＳＩの最新値が平均値と比較して増加し、かつ、前記第１周波数帯の信号のＣＩＮＲの最新値が平均値と比較して増加しているかまたは不変である場合、選択中のアンテナを切り替えないことを示している、請求項１２に記載のアンテナ切替方法。
【請求項１４】
前記判定基準は、
前記第１周波数帯の信号のＲＳＳＩの最新値が平均値と比較して減少している場合、選択中のアンテナを切り替えないことを示している、請求項１２または１３に記載のアンテナ切替方法。
【請求項１５】
前記判定基準は、
前記第１周波数帯の信号のＲＳＳＩの最新値が平均値と比較して不変であり、かつ、前記第１周波数帯の信号のＣＩＮＲの最新値が平均値と比較して増加しているかまたは不変である場合、選択中のアンテナを切り替えないことを示している、請求項１２から１４のいずれか１項に記載のアンテナ切替方法。
【請求項１６】
前記複数の各アンテナごとに、該アンテナにて受信された、前記第１周波数帯と隣接する第２周波数帯の信号のＲＳＳＩを一定周期で監視する第２ＲＳＳＩ監視ステップと、
前記複数の各アンテナごとに、該アンテナにて受信された前記第２周波数帯の信号のＲＳＳＩの直前の一定期間の平均値と最新値とを比較する第２ＲＳＳＩ比較ステップと、をさらに有し、
前記選択ステップでは、選択中のアンテナにて受信された前記第２周波数帯の信号のＲＳＳＩの平均値と最新値との比較結果をさらに用いた判定基準に従って、選択中のアンテナを切り替えるか否かを判定する、請求項１２から１５のいずれか１項に記載のアンテナ切替方法。
【請求項１７】
前記判定基準は、
前記第１周波数帯の信号のＲＳＳＩの最新値が平均値と比較して増加し、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項１６に記載のアンテナ切替方法。
【請求項１８】
前記判定基準は、
前記第１周波数帯の信号のＲＳＳＩの最新値が平均値と比較して不変であり、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項１６または１７に記載のアンテナ切替方法。
【請求項１９】
選択中のアンテナ以外の他のアンテナの中から、前記第１周波数帯の信号のＣＩＮＲの平均値が高いものから順に所定数のアンテナを選定する選定ステップをさらに有し、
前記選択ステップでは、選択中のアンテナを切り替える場合には、前記選定された所定数のアンテナの１つを選択する、請求項１６から１８のいずれか１項に記載のアンテナ切替方法。
【請求項２０】
前記選択ステップでは、前記第１周波数帯の信号のＣＩＮＲの平均値を、選択中のアンテナと前記選定された所定数のアンテナの各々とで比較し、選択中のアンテナの前記平均値が最も高い場合、選択中のアンテナの切り替えを中止する、請求項１９に記載のアンテナ切替方法。
【請求項２１】
指向性が互いに異なる複数のアンテナと、前記複数のアンテナを切り替える切替部と、を有し、第１周波数帯の信号を希望波として無線通信を行う通信機器に、
前記複数の各アンテナごとに、該アンテナにて受信された前記第１周波数帯の信号のＣＩＮＲを一定周期で監視するＣＩＮＲ監視手順と、
前記複数の各アンテナごとに、該アンテナにて受信された前記第１周波数帯の信号のＣＩＮＲの直前の一定期間の平均値と最新値とを比較するＣＩＮＲ比較手順と、
前記複数の各アンテナごとに、該アンテナにて受信された前記第１周波数帯の信号のＲＳＳＩを一定周期で監視する第１ＲＳＳＩ監視手順と、
前記複数の各アンテナごとに、該アンテナにて受信された前記第１周波数帯の信号のＲＳＳＩの直前の一定期間の平均値と最新値とを比較する第１ＲＳＳＩ比較手順と、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択手順と、を実行させるプログラム。
【請求項２２】
前記選択手順では、選択中のアンテナにて受信された前記第１周波数帯の信号のＲＳＳＩの平均値と最新値との比較結果およびＣＩＮＲの平均値と最新値との比較結果を用い、前記判定基準に従って、選択中のアンテナを切り替えるか否かを判定し、選択中のアンテナを切り替える場合には、選択中のアンテナ以外の他のアンテナの１つを選択する、請求項２１に記載のプログラム。
【請求項２３】
前記判定基準は、
前記第１周波数帯の信号のＲＳＳＩの最新値が平均値と比較して増加し、かつ、前記第１周波数帯の信号のＣＩＮＲの最新値が平均値と比較して増加しているかまたは不変である場合、選択中のアンテナを切り替えないことを示している、請求項２２に記載のプログラム。
【請求項２４】
前記判定基準は、
前記第１周波数帯の信号のＲＳＳＩの最新値が平均値と比較して減少している場合、選択中のアンテナを切り替えないことを示している、請求項２２または２３に記載のプログラム。
【請求項２５】
前記判定基準は、
前記第１周波数帯の信号のＲＳＳＩの最新値が平均値と比較して不変であり、かつ、前記第１周波数帯の信号のＣＩＮＲの最新値が平均値と比較して増加しているかまたは不変である場合、選択中のアンテナを切り替えないことを示している、請求項２２から２４のいずれか１項に記載のプログラム。
【請求項２６】
前記通信機器に、
前記複数の各アンテナごとに、該アンテナにて受信された、前記第１周波数帯と隣接する第２周波数帯の信号のＲＳＳＩを一定周期で監視する第２ＲＳＳＩ監視手順と、
前記複数の各アンテナごとに、該アンテナにて受信された前記第２周波数帯の信号のＲＳＳＩの直前の一定期間の平均値と最新値とを比較する第２ＲＳＳＩ比較手順と、をさらに実行させ、
前記選択手順では、選択中のアンテナにて受信された前記第２周波数帯の信号のＲＳＳＩの平均値と最新値との比較結果をさらに用いた判定基準に従って、選択中のアンテナを切り替えるか否かを判定する、請求項２２から２５のいずれか１項に記載のプログラム。
【請求項２７】
前記判定基準は、
前記第１周波数帯の信号のＲＳＳＩの最新値が平均値と比較して増加し、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項２６に記載のプログラム。
【請求項２８】
前記判定基準は、
前記第１周波数帯の信号のＲＳＳＩの最新値が平均値と比較して不変であり、かつ、前記第１周波数帯の信号のＣＩＮＲの最新値が平均値と比較して減少している場合において、
前記第２周波数帯の信号のＲＳＳＩの最新値が平均値と比較して増加している場合は、選択中のアンテナを切り替えることを示し、
前記第２周波数帯の信号のＲＳＳＩの最新値が平均値と比較して不変であるかまたは減少している場合は、選択中のアンテナを切り替えないことを示している、請求項２６または２７に記載のプログラム。
【請求項２９】
前記通信機器に、
選択中のアンテナ以外の他のアンテナの中から、前記第１周波数帯の信号のＣＩＮＲの平均値が高いものから順に所定数のアンテナを選定する選定手順をさらに実行させ、
前記選択手順では、選択中のアンテナを切り替える場合には、前記選定された所定数のアンテナの１つを選択する、請求項２６から２８のいずれか１項に記載のプログラム。
【請求項３０】
前記選択手順では、前記第１周波数帯の信号のＣＩＮＲの平均値を、選択中のアンテナと前記選定された所定数のアンテナの各々とで比較し、選択中のアンテナの前記平均値が最も高い場合、選択中のアンテナの切り替えを中止する、請求項２９に記載のプログラム。
【発明の詳細な説明】
【技術分野】
【０００１】
本発明は、通信機器、アンテナ切替方法、プログラムに関する。
【背景技術】
【０００２】
ＷｉＭＡＸ（Worldwide Interoperability for Microwave Access）  Ｆｏｒｕｍでは、ＩＥＥＥ（The Institute of Electrical and Electronic Engineers）８０２．１６ｅ標準を基に、ＷｉＭＡＸが策定されている。
【０００３】
ＷｉＭＡＸ通信は、無線通信であるにもかかわらず、通信速度が２０Ｍｂｐｓ以上と高速である。
【０００４】
そのため、ＷｉＭＡＸ通信は、ＡＤＳＬ（Asymmetric Digital Subscriber Line）などの固定高速通信の代替手段として用いることが想定されており、ＷｉＭＡＸ通信に関する技術も幾つか提案されている（例えば、特許文献１参照）
しかし、ＷｉＭＡＸの周波数帯域は、２．５ＧＨｚ帯となっており、ＷＬＡＮ（Wireless Local Area Network）用通信機器、ブルートゥース（Bluetooth）用通信機器、デジタルコードレス電話機等のＩＳＭ帯（Industry Science Medical band：２．４ＧＨｚ帯）通信機器の周波数帯域と隣接している。
【０００５】
そのため、ＷｉＭＡＸ用通信機器は、ＩＳＭ帯通信機器からの干渉を受ける可能性が高く、この干渉が妨害波となり、ＷｉＭＡＸ通信の希望波（２．５ＧＨｚ帯）の通信品質が劣化する場合がある。
【０００６】
このようなＷｉＭＡＸ通信の通信品質劣化の問題を解決する方法としては、例えば、ＭＡＣ（Media Access Control）レイヤや、ＷｉＭＡＸ用通信機器とＩＳＭ帯通信機器との通信タイミングを制御する方法が考えられる。しかし、電子レンジやデジタルコードレス電話機等のＩＳＭ帯通信機器には、通常、通信タイミング等を制御する手段が設けられていない。そのため、この方法では、電子レンジ等のＩＳＭ帯通信機器には制御が及ばないため、妨害波のレベルを低減することができない場合がある。
【０００７】
したがって、今後は、ＷｉＭＡＸ用通信機器側で、隣接周波数帯を使用するＩＳＭ帯通信機器からの妨害波のレベルを低減する必要性が高くなると考えられる。
【０００８】
ＷｉＭＡＸ用通信機器側で妨害波のレベルを低減する方法の例としては、特許文献１に開示されているように、複数のアンテナを設けて、受信品質に応じてアンテナを切り替えることで妨害波のレベルを低減する方法が考えられる。
【０００９】
その他の例としては、特許文献２に開示されているように、フィルタを設けて、妨害波のレベルを低減する方法が考えられる。
【特許文献１】特開２００８−１３６０８９号公報
【特許文献２】特開２００７−２８８４５５号公報
【発明の開示】
【発明が解決しようとする課題】
【００１０】
しかし、特許文献１に開示された方法では、アンテナ切替の判定にＣＩＮＲ（Carrier to Interference plus Noise Ratio：信号対干渉雑音比）やＲＳＳＩ（Received Signal Strength Indication：受信電界強度）を単独で用いているため、例えば、ＣＩＮＲが劣化したとしても、その要因が、妨害波のレベルの増加によるものであるか正確に判定することができない。そのため、この方法には、アンテナを切り替えても、妨害波のレベルを低減できない場合があるという課題がある。
【００１１】
また、特許文献２に開示された方法では、対象となる妨害波が隣接周波数帯を使用するＩＳＭ帯通信機器からのものであるため、妨害波のレベルを低減するにはフィルタサイズが大型化してしまう。そのため、この方法には、フィルタサイズの大型化に起因して伝送線路ロスが増加するという課題がある。
【００１２】
そこで、本発明の目的は、妨害波のレベルをより正確に判定することで、アンテナ切替によって妨害波のレベルをより確実に低減することができるとともに、伝送線路ロスの増加を回避することができる通信機器、アンテナ切替方法、プログラムを提供することにある。
【課題を解決するための手段】
【００１３】
本発明の通信機器は、
第１周波数帯の信号を希望波として無線通信を行う通信機器であって、
指向性が互いに異なる複数のアンテナと、
前記複数のアンテナを切り替える切替部と、
前記複数のアンテナの各々に対応して設けられ、該対応するアンテナにて受信された前記第１周波数帯の信号のＣＩＮＲ（Carrier to Interference plus Noise Ratio：信号対干渉雑音比）を一定周期で監視する複数のＣＩＮＲ監視部と、
前記複数のアンテナの各々に対応して設けられ、該対応するアンテナにて受信された前記第１周波数帯の信号のＣＩＮＲの直前の一定期間の平均値と最新値とを比較する複数のＣＩＮＲ比較部と、
前記複数のアンテナの各々に対応して設けられ、該対応するアンテナにて受信された前記第１周波数帯の信号のＲＳＳＩ（Received Signal Strength Indication：受信電界強度）を一定周期で監視する複数の第１ＲＳＳＩ監視部と、
前記複数のアンテナの各々に対応して設けられ、該対応するアンテナにて受信された前記第１周波数帯の信号のＲＳＳＩの直前の一定期間の平均値と最新値とを比較する複数の第１ＲＳＳＩ比較部と、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択部と、を有する。
【００１４】
本発明のアンテナ切替方法は、
指向性が互いに異なる複数のアンテナと、前記複数のアンテナを切り替える切替部と、を有し、第１周波数帯の信号を希望波として無線通信を行う通信機器によるアンテナ切替方法であって、
前記複数の各アンテナごとに、該アンテナにて受信された前記第１周波数帯の信号のＣＩＮＲを一定周期で監視するＣＩＮＲ監視ステップと、
前記複数の各アンテナごとに、該アンテナにて受信された前記第１周波数帯の信号のＣＩＮＲの直前の一定期間の平均値と最新値とを比較するＣＩＮＲ比較ステップと、
前記複数の各アンテナごとに、該アンテナにて受信された前記第１周波数帯の信号のＲＳＳＩを一定周期で監視する第１ＲＳＳＩ監視ステップと、
前記複数の各アンテナごとに、該アンテナにて受信された前記第１周波数帯の信号のＲＳＳＩの直前の一定期間の平均値と最新値とを比較する第１ＲＳＳＩ比較ステップと、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択ステップと、を有する。
【００１５】
本発明のプログラムは、
指向性が互いに異なる複数のアンテナと、前記複数のアンテナを切り替える切替部と、を有し、第１周波数帯の信号を希望波として無線通信を行う通信機器に、
前記複数の各アンテナごとに、該アンテナにて受信された前記第１周波数帯の信号のＣＩＮＲを一定周期で監視するＣＩＮＲ監視手順と、
前記複数の各アンテナごとに、該アンテナにて受信された前記第１周波数帯の信号のＣＩＮＲの直前の一定期間の平均値と最新値とを比較するＣＩＮＲ比較手順と、
前記複数の各アンテナごとに、該アンテナにて受信された前記第１周波数帯の信号のＲＳＳＩを一定周期で監視する第１ＲＳＳＩ監視手順と、
前記複数の各アンテナごとに、該アンテナにて受信された前記第１周波数帯の信号のＲＳＳＩの直前の一定期間の平均値と最新値とを比較する第１ＲＳＳＩ比較手順と、
前記複数のアンテナの各々にて受信された前記第１周波数帯の信号のＲＳＳＩの平均値と最新値との比較結果およびＣＩＮＲの平均値と最新値との比較結果を用いた判定基準に従って、前記複数のアンテナの１つを選択し、選択したアンテナへの切り替えを前記切替部に指示する選択手順と、を実行させる。
【発明の効果】
【００１６】
本発明の通信機器は、複数のアンテナの各々における、第１周波数帯の信号のＲＳＳＩおよびＣＩＮＲの各々の直前の一定期間の平均値と最新値との比較結果を用いて、アンテナ切り替えを行う。
【００１７】
このように、アンテナ切り替えの判定において、ＣＩＮＲに加えてＲＳＳＩを用いることにより、妨害波のレベルをより正確に判定することができるため、アンテナ切替によって妨害波のレベルをより確実に低減することができるという効果が得られる。
【００１８】
また、上述のアンテナ切り替えにより、高額部品のフィルタを設けることなく、妨害波のレベルを低減することができるため、フィルタサイズの大型化に起因した伝送線路ロスの増加を回避することができるという効果が得られる。
【発明を実施するための最良の形態】
【００１９】
以下に、本発明を実施するための最良の形態について図面を参照して説明する。
【００２０】
なお、本実施形態においては、２．５ＧＨｚ帯の信号を希望波として無線通信を行い、２．４ＧＨｚ帯（ＩＳＭ帯）を使用するＩＳＭ帯通信機器からの妨害波のレベルを低減するＷｉＭＡＸ用通信機器を例に挙げて説明するが、本発明はこれに限定されない。すなわち、本発明は、希望波に隣接する隣接周波数帯を使用する他の通信機器からの妨害波のレベルを低減する通信機器全般に適用可能である。
【００２１】
図１に示すように、本実施形態の通信機器は、ｎ（ｎは２以上の自然数）個のアンテナ１０−１〜１０−ｎと、アンテナ切替部１１と、ＷｉＭＡＸ動作部１２と、ｎ個のアンテナ１０−１〜１０−ｎの各々に対応して設けられたアンテナ管理部１３−１〜１３−ｎと、アンテナ選択部１４と、候補アンテナ選定部１５と、を有している。
【００２２】
アンテナ１０−１〜１０−ｎは、指向性が互いに異なる。
【００２３】
アンテナ切替部１１は、アンテナ１０−１〜１０−ｎのうち、アンテナ選択部１４により選択されたアンテナへのアンテナ切り替えを行う。
【００２４】
ＷｉＭＡＸ動作部１２は、選択中のアンテナから送信する送信信号の変調処理や、選択中のアンテナにて受信された受信信号の復調処理等のＷｉＭＡＸ通信処理を行う。なお、ＷｉＭＡＸ動作部１２は、一般的なＷｉＭＡＸ用通信機器に備えられるものであり、その構成および動作は周知であるので、詳細な説明を省略する。
【００２５】
アンテナ管理部１３−１〜１３−ｎの各々は、ＷｉＭＡＸ  ＣＩＮＲ監視部１３１と、ＷｉＭＡＸ  ＣＩＮＲ記録部１３２と、ＷｉＭＡＸ  ＣＩＮＲ比較部１３３と、ＷｉＭＡＸ  ＲＳＳＩ監視部１３４と、ＷｉＭＡＸ  ＲＳＳＩ記録部１３５と、ＷｉＭＡＸ  ＲＳＳＩ比較部１３６と、隣接周波数帯ＲＳＳＩ監視部１３７と、隣接周波数帯ＲＳＳＩ記録部１３８と、隣接周波数帯ＲＳＳＩ比較部１３９と、を有している。ここでは、アンテナ管理部１３−１内の上記構成要素の動作について説明する。
【００２６】
ＷｉＭＡＸ  ＣＩＮＲ監視部１３１は、アンテナ１０−１で受信されたＷｉＭＡＸの２．５ＧＨｚ帯の信号（希望波）のＣＩＮＲを一定周期（例えば、１秒周期。以下同じ）で監視する。なお、以下では、２．５ＧＨｚ帯の信号のＣＩＮＲを、ＷｉＭＡＸ  ＣＩＮＲと称する。また、上記の一定周期の例はあくまで一例であって、これに限定されない。
【００２７】
ＷｉＭＡＸ  ＣＩＮＲ記録部１３２は、ＷｉＭＡＸ  ＣＩＮＲ監視部１３１で監視されたＷｉＭＡＸ  ＣＩＮＲを一定期間（例えば、１分間。以下同じ）記録する。なお、上記の一定期間の例はあくまで一例であって、これに限定されない。
【００２８】
ＷｉＭＡＸ  ＣＩＮＲ比較部１３３は、ＷｉＭＡＸ  ＣＩＮＲ記録部１３２で記録されたＷｉＭＡＸ  ＣＩＮＲの直前の一定期間の平均値と最新値とを比較する。
【００２９】
ＷｉＭＡＸ  ＲＳＳＩ監視部１３４は、アンテナ１０−１で受信されたＷｉＭＡＸの２．５ＧＨｚ帯の信号のＲＳＳＩを一定周期で監視する。なお、以下では、２．５ＧＨｚ帯の信号のＲＳＳＩを、ＷｉＭＡＸ  ＲＳＳＩと称する。
【００３０】
ＷｉＭＡＸ  ＲＳＳＩ記録部１３５は、ＷｉＭＡＸ  ＲＳＳＩ監視部１３４で監視されたＷｉＭＡＸ  ＲＳＳＩを一定期間記録する。
【００３１】
ＷｉＭＡＸ  ＲＳＳＩ比較部１３６は、ＷｉＭＡＸ  ＲＳＳＩ記録部１３５で記録されたＷｉＭＡＸ  ＲＳＳＩの直前の一定期間の平均値と最新値とを比較する。
【００３２】
隣接周波数帯ＲＳＳＩ監視部１３７は、アンテナ１０−１で受信された２．４ＧＨｚ帯（ＩＳＭ帯）の信号（妨害波）のＲＳＳＩを一定周期で監視する。なお、以下では、２．４ＧＨｚ帯の信号のＲＳＳＩを、隣接周波数帯ＲＳＳＩと称する。
【００３３】
隣接周波数帯ＲＳＳＩ記録部１３８は、隣接周波数帯ＲＳＳＩ監視部１３７で監視された隣接周波数帯ＲＳＳＩを一定期間記録する。
【００３４】
隣接周波数帯ＲＳＳＩ比較部１３９は、隣接周波数帯ＲＳＳＩ記録部１３８で記録された隣接周波数帯ＲＳＳＩの直前の一定期間の平均値と最新値とを比較する。
【００３５】
アンテナ選択部１４は、アンテナ管理部１３−１〜１３−ｎの各々から、アンテナ１０−１〜１０−ｎにおけるＷｉＭＡＸ  ＣＩＮＲの平均値と最新値との比較結果、ＷｉＭＡＸ  ＲＳＳＩの平均値と最新値との比較結果、および、隣接周波数帯ＲＳＳＩの平均値と最新値との比較結果の最新のものを、常時収集する。
【００３６】
また、アンテナ選択部１４は、アンテナ切替の判定に用いる判定基準が予め定められた判定基準テーブル１４１を備えており、アンテナ１０−１〜１０−ｎにおけるＷｉＭＡＸ  ＣＩＮＲの比較結果、ＷｉＭＡＸ  ＲＳＳＩの比較結果、および、隣接周波数帯ＲＳＳＩの比較結果を用い、上記の判定基準に従って、アンテナ１０−１〜１０−ｎの１つを選択し、選択したアンテナへの切り替えをアンテナ切替部１１に指示する。
【００３７】
具体的には、アンテナ選択部１４は、まず、選択中のアンテナにおけるＷｉＭＡＸ  ＣＩＮＲの比較結果およびＷｉＭＡＸ  ＲＳＳＩの比較結果を用い、選択中のアンテナを切り替えるか否かを判定する１次判定を行う。
【００３８】
もし、この時点で選択中のアンテナを切り替えるか否かを判定できない場合、アンテナ選択部１４は、続いて、選択中のアンテナにおける隣接周波数帯ＲＳＳＩの比較結果を用いて、選択中のアンテナを切り替えるか否かを判定する２次判定を行う。
【００３９】
このとき、候補アンテナ選定部１５は、選択中のアンテナ以外の他のアンテナに対応する全てのアンテナ管理部から、ＷｉＭＡＸ  ＣＩＮＲの平均値の情報を収集し、他のアンテナの中からＷｉＭＡＸ  ＣＩＮＲの平均値が高いものを順に所定数だけ選定している。
【００４０】
このため、アンテナ選択部１４は、上記の１次判定または２次判定において、選択中のアンテナを切り替えると判定した場合、候補アンテナ選定部１５で選定された所定数のアンテナの１つを選択する。
【００４１】
ただし、アンテナ選択部１４は、ＷｉＭＡＸ  ＣＩＮＲの平均値を、選択中のアンテナと候補アンテナ選定部１５で選定された所定数のアンテナの各々とで比較し、その結果、選択中のアンテナの平均値が最も高い場合、選択中のアンテナの切り替えを中止する。
【００４２】
以下、本実施形態の通信機器の動作について、図２および図３を参照して説明する。ここでは、アンテナ１０−１を選択中であるものとする。
【００４３】
図２を参照すると、アンテナ管理部１３−１〜１３−ｎの各々は、一定周期で、対応するアンテナにおけるＷｉＭＡＸ  ＣＩＮＲ、ＷｉＭＡＸ  ＲＳＳＩ、および隣接周波数帯ＲＳＳＩを監視し（ステップＡ１）、ＷｉＭＡＸ  ＣＩＮＲ、ＷｉＭＡＸ  ＲＳＳＩ、および隣接周波数帯ＲＳＳＩの各々について、直前の一定期間の平均値と最新値とを比較する（ステップＡ２）。
【００４４】
次に、アンテナ選択部１４は、選択中のアンテナ１０−１におけるＷｉＭＡＸ  ＣＩＮＲの平均値と最新値との比較結果、および、ＷｉＭＡＸ  ＲＳＳＩの平均値と最新値との比較結果を用い、図３の判断基準に従って、アンテナ１０−１を切り替えるか否かを判定する１次判定を行う（ステップＡ３）。
【００４５】
もし、１次判定において、アンテナ１０−１を切り替えると判定しなかった場合は（ステップＡ４のＮｏ）、アンテナ選択部１４は、選択中のアンテナ１０−１における隣接周波数帯ＲＳＳＩの平均値と最新値との比較結果をさらに用い、図３の判断基準に従って、選択中のアンテナ１０−１を切り替えるか否かを判定する２次判定を行う（ステップＡ５）。２次判定において、選択中のアンテナ１０−１を切り替えないと判定した場合は（ステップＡ６のＮｏ）、ステップＡ１の処理に戻る。
【００４６】
その一方で、候補アンテナ選定部１５は、アンテナ選択部１４による上記の１次判定または２次判定動作と並行して、選択中のアンテナ１０−１以外のアンテナ１０−２〜１０−ｎにおけるＷｉＭＡＸ  ＣＩＮＲの平均値と最新値との比較結果を用いて、アンテナ１０−２〜１０−ｎの中から、ＷｉＭＡＸ  ＣＩＮＲの平均値が高いものを順に所定数だけ選定している（ステップＡ７）。ここでは、２個のアンテナ１０−２，１０−３が選定されていたとする。
【００４７】
このため、アンテナ選択部１４は、上記の１次判定または２次判定において、選択中のアンテナ１０−１を切り替えると判定した場合、アンテナ１０−２，１０−３の１つを選択し、選択したアンテナへの切り替えをアンテナ切替部１１に指示する。これを受けて、アンテナ切替部１１は、アンテナ１０−１を、アンテナ選択部１４から指示されたアンテナに切り替える（ステップＡ８）。
【００４８】
ただし、アンテナ選択部１４は、ＷｉＭＡＸ  ＣＩＮＲの平均値を、選択中のアンテナ１０−１とアンテナ１０−２，１０−３の各々とで比較し、その結果、アンテナ１０−１の平均値が最も高い場合、アンテナ１０−１の切り替えを中止する。
【００４９】
ここで、アンテナ選択部１４による１次判定動作および２次判定動作について、図３を参照してより詳細に説明する。
【００５０】
［１次判定］
１次判定においては、まず、アンテナ選択部１４は、ＷｉＭＡＸ  ＣＩＮＲにおいて、最新値と平均値との差分を閾値（閾値は、例えば、４［ｄＢ］）と比較し、最新値が平均値よりも閾値以上に大きい場合は「増加」と判定し、最新値が平均値よりも閾値以上に小さい場合は「減少」と判定し、その他の場合は「不変」と判定する。なお、上記の閾値の例はあくまで一例であって、これに限定されない。
【００５１】
同様に、アンテナ選択部１４は、ＷｉＭＡＸ  ＲＳＳＩにおいて、最新値と平均値との差分を閾値（閾値は、例えば、６［ｄＢ］）と比較し、最新値が平均値よりも閾値以上に大きい場合は「増加」と判定し、最新値が平均値よりも閾値以上に小さい場合は「減少」と判定し、その他の場合は「不変」と判定する。なお、上記の閾値の例はあくまで一例であって、これに限定されない。
【００５２】
続いて、アンテナ選択部１４は、上記で判定した比較結果が、以下のどのケースに相当するかに応じて、アンテナ１０−１を切り替えるか否かを判定する。
【００５３】
（Ａ）ＷｉＭＡＸ  ＲＳＳＩが「増加」で、ＷｉＭＡＸ  ＣＩＮＲが「増加」または「不変」の場合
この場合、ＷｉＭＡＸ  ＣＩＮＲは劣化していないため、２．５ＧＨｚ帯の希望波の電波状況は正常であり、アンテナ１０−１における妨害波のレベルは増加していないと判断できる。
【００５４】
そのため、アンテナ選択部１４は、アンテナ１０−１の切り替えを行わないと判定する。
【００５５】
（Ｂ）ＷｉＭＡＸ  ＲＳＳＩが「増加」で、ＷｉＭＡＸ  ＣＩＮＲが「減少」の場合
この場合、ＷｉＭＡＸ  ＲＳＳＩが「増加」であるにもかかわらず、ＷｉＭＡＸ  ＣＩＮＲが劣化しており、劣化の要因が妨害波のレベルの増加にあるか否かは判断できない。
【００５６】
そのため、アンテナ選択部１４は、２次判定に移行する。
【００５７】
（Ｃ）ＷｉＭＡＸ  ＲＳＳＩが「減少」で、ＷｉＭＡＸ  ＣＩＮＲが「増加」または「不変」の場合
この場合、ＷｉＭＡＸ  ＣＩＮＲは劣化していないため、希望波の電波状況は正常であり、アンテナ１０−１における妨害波のレベルは増加していないと判断できる。また、ＷｉＭＡＸ  ＲＳＳＩが「減少」であるため、希望波の電波状況が悪い可能性が高い。このことから、ＷｉＭＡＸ  ＣＩＮＲの値が小さくても、その要因は希望波の電波状況の悪化にあると判断できる。
【００５８】
そのため、アンテナ選択部１４は、アンテナ１０−１の切り替えを行わないと判定する。
【００５９】
（Ｄ）ＷｉＭＡＸ  ＲＳＳＩおよびＷｉＭＡＸ  ＣＩＮＲが共に「減少」の場合
この場合、ＷｉＭＡＸ  ＣＩＮＲが劣化しているが、ＷｉＭＡＸ  ＲＳＳＩが「減少」であるため、劣化の要因は、妨害波のレベルの増加ではなく、希望波の電波状況の悪化にあると判断できる。
【００６０】
そのため、アンテナ選択部１４は、アンテナ１０−１の切り替えを行わないと判定する。
【００６１】
（Ｅ）ＷｉＭＡＸ  ＲＳＳＩが「不変」で、ＷｉＭＡＸ  ＣＩＮＲが「増加」または「不変」の場合
この場合、ＷｉＭＡＸ  ＣＩＮＲは劣化していないため、２．５ＧＨｚ帯の希望波の電波状況は正常であり、アンテナ１０−１における妨害波のレベルは増加していないと判断できる。
【００６２】
そのため、アンテナ選択部１４は、アンテナ１０−１の切り替えを行わないと判定する。
【００６３】
（Ｆ）ＷｉＭＡＸ  ＲＳＳＩが「不変」で、ＷｉＭＡＸ  ＣＩＮＲが「減少」の場合
この場合、ＷｉＭＡＸ  ＲＳＳＩが「不変」であるにもかかわらず、ＷｉＭＡＸ  ＣＩＮＲが劣化しており、劣化の要因が妨害波のレベルの増加にあるか否かは判断できない。
【００６４】
そのため、アンテナ選択部１４は、２次判定に移行する。
【００６５】
［２次判定］
２次判定においては、まず、アンテナ選択部１４は、隣接周波数帯ＲＳＳＩにおいて、最新値と平均値との差分を閾値（閾値は、例えば、１０［ｄＢ］）と比較し、最新値が平均値よりも閾値以上に大きい場合は「増加」と判定し、最新値が平均値よりも閾値以上に小さい場合は「減少」と判定し、その他の場合は「不変」と判定する。なお、上記の閾値の例はあくまで一例であって、これに限定されない。
【００６６】
続いて、アンテナ選択部１４は、上記で判定した比較結果が、以下のどのケースに相当するかに応じて、アンテナ１０−１を切り替えるか否かを判定する。
【００６７】
（ａ）ＷｉＭＡＸ  ＲＳＳＩが「増加」で、ＷｉＭＡＸ  ＣＩＮＲが「減少」の場合
（ａ−１）隣接周波数帯ＲＳＳＩが「増加」の場合
この場合、ＷｉＭＡＸ  ＣＩＮＲの劣化の要因は妨害波のレベルの増加にあると判断できる。
【００６８】
そのため、アンテナ選択部１４は、アンテナ１０−１の切り替えを行うと判定する。
【００６９】
（ａ−２）隣接周波数帯ＲＳＳＩが「不変」または「減少」の場合
この場合、ＷｉＭＡＸ  ＣＩＮＲの劣化の要因は妨害波のレベルの増加ではないと判断できる。
【００７０】
そのため、アンテナ選択部１４は、アンテナ１０−１の切り替えを行わないと判定する。
【００７１】
（ｂ）ＷｉＭＡＸ  ＲＳＳＩが「不変」で、ＷｉＭＡＸ  ＣＩＮＲが「減少」の場合
（ｂ−１）隣接周波数帯ＲＳＳＩが「増加」の場合
この場合、ＷｉＭＡＸ  ＣＩＮＲの劣化の要因は妨害波のレベルの増加にあると判断できる。
【００７２】
そのため、アンテナ選択部１４は、アンテナ１０−１の切り替えを行うと判定する。
【００７３】
（ｂ−２）隣接周波数帯ＲＳＳＩが「不変」または「減少」の場合
この場合、ＷｉＭＡＸ  ＣＩＮＲの劣化の要因は妨害波のレベルの増加ではないと判断できる。
【００７４】
そのため、アンテナ選択部１４は、アンテナ１０−１の切り替えを行わないと判定する。
【００７５】
上述したように本実施形態においては、アンテナ１０−１〜１０−ｎの各々における、ＷｉＭＡＸ  ＲＳＳＩおよびＷｉＭＡＸ  ＣＩＮＲの各々の直前の一定期間の平均値と最新値との比較結果を用いて、アンテナ切り替えを行う。
【００７６】
このように、アンテナ切り替えの判定において、ＷｉＭＡＸ  ＣＩＮＲに加えてＷｉＭＡＸ  ＲＳＳＩを用いることで、妨害波のレベルをより正確に判定することができるため、アンテナ切替によって妨害波のレベルをより確実に低減することができる。
【００７７】
具体的には、アンテナ切り替えの判定において、ＷｉＭＡＸ  ＣＩＮＲが劣化した要因が、妨害波（２．４ＧＨｚ帯）のレベルの増加によるものであるか、それ以外の要因（例えば、希望波（２．５ＧＨｚ帯）の電波状況の悪化等）にあるかが判定可能になる。
【００７８】
これにより、ＷｉＭＡＸ  ＣＩＮＲが劣化した要因が妨害波のレベルの増加にある時に、アンテナ切り替えを行うことで妨害波のレベルを低減することができるため、希望波と妨害波とのアンテナ結合度を低下させ、ＷｉＭＡＸ通信の希望波の通信品質の劣化量を軽減することができる。
【００７９】
また、上述のアンテナ切り替えにより、高額部品のフィルタを設けることなく、妨害波のレベルを低減することができるため、フィルタサイズの大型化に起因した伝送線路ロスの増加を回避することができる。
【００８０】
ただし、ＷｉＭＡＸ  ＣＩＮＲおよびＷｉＭＡＸ  ＲＳＳＩだけでは、ＷｉＭＡＸ  ＣＩＮＲの劣化の要因が妨害波のレベルの増加にあるのか判定できない場合もある。その場合は、さらに隣接周波数帯ＲＳＳＩの直前の一定期間の平均値と最新値との比較結果を用いて、妨害波のレベルが増加しているか否かを判定すればよい。
【００８１】
これにより、ＷｉＭＡＸ  ＣＩＮＲの劣化の要因が妨害波のレベルの増加にあるか否かを、より確実に判定することができる。
【００８２】
また、本実施形態においては、選択中のアンテナ以外の他のアンテナの中から、ＷｉＭＡＸ  ＣＩＮＲの平均値が高いものを選定しておき、アンテナ切り替えを行う場合は、選定されているアンテナへ切り替える。
【００８３】
これにより、選択中のアンテナを、ＷｉＭＡＸ  ＣＩＮＲが高いアンテナに切り替えることができる。
【００８４】
ただし、選択中のアンテナの方が、選定されているアンテナよりも、ＷｉＭＡＸ  ＣＩＮＲの平均値が高い場合は、アンテナ切り替えを中止する。
【００８５】
これにより、ＷｉＭＡＸ  ＣＩＮＲが劣化するようなアンテナ切り替えを行うことが回避される。
【００８６】
なお、本発明の通信機器にて行われる方法は、コンピュータに実行させるためのプログラムに適用してもよい。また、そのプログラムを記憶媒体に格納することも可能であり、ネットワークを介して外部に提供することも可能である。
【図面の簡単な説明】
【００８７】
【図１】本発明の一実施形態の通信機器の構成を示すブロック図である。
【図２】図１に示した通信機器の動作を説明するフローチャートである。
【図３】図１に示した判定基準テーブルの一例を説明する図である。
【符号の説明】
【００８８】
１０−１〜１０−ｎ    アンテナ
１１    アンテナ切替部
１２    ＷｉＭＡＸ動作部
１３−１〜１３−ｎ    アンテナ管理部
１３１    ＷｉＭＡＸ  ＣＩＮＲ監視部
１３２    ＷｉＭＡＸ  ＣＩＮＲ記録部
１３３    ＷｉＭＡＸ  ＣＩＮＲ比較部
１３４    ＷｉＭＡＸ  ＲＳＳＩ監視部
１３５    ＷｉＭＡＸ  ＲＳＳＩ記録部
１３６    ＷｉＭＡＸ  ＲＳＳＩ比較部
１３７    隣接周波数帯ＲＳＳＩ監視部
１３８    隣接周波数帯ＲＳＳＩ記録部
１３９    隣接周波数帯ＲＳＳＩ比較部
１４    アンテナ選択部
１４１    判定基準テーブル
１５    候補アンテナ選定部
【図１】
2010068216.tif 000003
【図２】
2010068216.tif 000004
【図３】
2010068216.tif 000005